(57)【要約】      （修正有）【課題】体積が小さく、製造が簡単でコストを低下させ、製品の競争力を高めることができ、また、簡単な部材の設置によって装置の運転停止制御機能および指示ランプ機能を達成できる織機の糸切れ及び糸弛み検出装置を提供する。【解決手段】調整可能ガイド片をガイド片本体８１上の異なる位置に固定することによって複数種のガイド隙間を選択でき、ガイド片セット８は体積が小さいので空間を占拠することがなく、製造が簡単でコストを低下させることができる。また、ねじりばね５３、導電部材５４および導電部材５４に導電材料からなる螺合部材７２が組み合わされた簡単な部材の設置によって、糸切れ及び糸弛み検出装置の運転停止制御機能および指示ランプ機能を達成できる。【選択図】図３
0003136562.tif 000002
【実用新案登録請求の範囲】
【請求項１】
検出装置本体および蓋体を備え、該検出装置本体には停車バーと内部には正極導電片、負極導電片および指示ランプが設けられ、前記停車バーが糸切れまたは糸弛みの故障を検知して作動するとき、前記正極導電片と負極導電片とを導通させて運転停止を制御し、前記指示ランプの点灯を制御し、前記検出装置本体には更にケーシング、蓋体、張力調整装置、ガイド片セット、ねじりばねおよび導電片を備えたガイド装置が設けられた織機の糸切れ及び糸弛み検出装置であって、
前記ケーシングは、導電材料からなる螺合部材によって前記検出装置本体に螺合接続され、前記ケーシングの一側の壁部上方には貫通孔が設けられ、前記ケーシングの内壁上方には定位台が設けられ、前記定位台には定位孔が設けられ、前記ケーシングの内壁上方には枢動孔が設けられ、前記ケーシングの他側の壁部内面には位置制限塊が設けられ、
前記ガイド片セットは、ガイド片本体を備え、その両側には嵌合孔が設けられ、前記嵌合孔は前記張力調整装置のカムの両側に嵌合固定され、前記ガイド片本体は前記検出装置本体に設けられたシンカーの上方に位置され、前記ガイド片本体が正常位置のとき、カムの第１の定位凹部に鋼球の一側が支持され、前記ガイド片本体が下方に枢動したとき、前記カムを動かし、突縁が鋼球を押圧してカムの第２の定位凹部での支持に切換わり、反対に、前記ガイド片本体が上方に枢動して正常位置に復位するとき、前記カムを連動し、突縁が鋼球を押圧してカムの第１の定位凹部での支持に切換わり、
前記ガイド装置のガイド片セットのガイド片本体には、ガイド溝およびガイド溝両側に位置する定位凸部が設けられ、前記ガイド片本体の上方には枢接部材によって調整可能ガイド片が枢動可能に設けられ、前記調整可能ガイド片には少なくとも一つのガイド溝が設けられ、その幅はガイド片本体のガイド溝とは異なり、前記調整可能ガイド片には少なくとも一つのガイド溝側辺に位置する定位溝孔または定位凹部が設けられ、また、前記調整可能ガイド片のガイド溝から調整可能ガイド片の左右端縁までの距離はそれぞれ異なり、調整可能ガイド片のいずれかの定位溝孔をガイド片本体のいずれかの定位凸部に嵌合するか、調整可能ガイド片の両定位溝孔をガイド片本体の各定位凸部に嵌合するか、調整可能ガイド片の各定位溝孔をいずれのガイド片本体の各定位凸部にも嵌合しないという方法で固定され、ガイド溝は複数種の幅に調整することができ、前記調整可能ガイド片には更に湾曲部が設けられ、調整操作が容易になっており、
前記ガイド装置の張力調整装置は、前記カムに定位溝および定位柱が設けられ、前記カムにはねじりばねが嵌設され、前記ねじりばねは、導電材料からなり、その一側には導電脚が設けられ、更に、導電脚から適当な距離の位置には巻部が設けられ、他側には湾曲部が設けられ、一側の巻部が前記張力調整装置のカムに嵌設され、一側の導電脚がカムの定位溝によって定位柱に湾曲して固定され、前記ねじりばねの他側の湾曲部が下方のケーシング他側の貫通孔から伸出してケーシングの定位塊の定位孔に向かい合い、定位塊と検出装置本体とシンカーの固定部とを螺合固定する螺合部材のねじ山部が先ず湾曲部を貫通し、次に定位塊を貫通し、最後に検出装置本体の一側の壁部に螺合接続され、螺合部材のねじ山部の内端と検出装置本体の負極導電片とが接触し、前記張力調整装置の内ねじ山柱には環状凹溝が設けられたことを特徴とする織機の糸切れ及び糸弛み検出装置。
【請求項２】
前記ガイド装置のガイド片セットのガイド片本体には、ガイド溝の両側に位置する定位溝孔または定位凹部が設けられ、前記ガイド片セットの調整可能ガイド片に設けられた少なくとも一つのガイド溝の側辺には少なくとも一つの定位凸部が設けられることを特徴とする請求項１記載の織機の糸切れ及び糸弛み検出装置。
【請求項３】
前記検出装置本体に設けられた固定クリップは、先ず底部が支持フレームの上方の湾曲部と接続され、次に支持フレームが検出装置本体の一側と螺合接続され、検出装置本体の一側の上方に位置されることを特徴とする請求項１記載の糸切れ及び糸弛み検出装置。
【考案の詳細な説明】
【技術分野】
【０００１】
本考案は織機の糸切れ及び糸弛み検出装置の改良に関し、主にガイド片が複数の調整機能を有し、体積が小さいので空間を占拠せず、製造が容易であるという長所を有し、それが設置されたガイド装置が運転停止制御機能および指示ランプ機能を備える糸切れ及び糸弛み検出装置に関する。
【背景技術】
【０００２】
従来技術による織機の糸切れ及び糸弛み検出装置においてはその大部分が糸貯留装置または中段の検出装置（BOTTOM STOP MOTION）を応用したものである。例えば、本考案の考案者による特許文献１では図１に示すように、糸異常検出装置９に断糸または糸弛みが発生したとき、停車ロッド９１がそれを検出して運転停止を制御して同時に指示ランプ（図示せず）を点灯させる。
【０００３】
また、従来技術によるガイド装置においては同一のガイド片に複数の異なる溝幅のガイド溝が設けられ、それを回転させることによって異なる溝幅の選択が可能であるが、その体積は大きく、多くの空間を占拠するのでそれによって使用範囲が制限される。
【０００４】
本考案の考案者は主に糸切れ及び糸弛み検出装置にガイド装置を増設し、複数のガイド隙間を提供し、また、体積を小さくすることによって空間を占拠することなく、簡単な部材を利用して糸切れ及び糸弛み検出装置の運転停止制御機能および指示ランプ機能を達成することを前提に弛まぬ研究および改良を重ね、ついに本考案を案出した。
【特許文献１】台湾専利第Ｄ１１６９５３号
【特許文献２】特開２００４−１９０９１号公報
【考案の開示】
【考案が解決しようとする課題】
【０００５】
本考案の第１の目的は、ガイド片セットのガイド片本体の上方に調整可能ガイド片が枢動可能に設けられ、調整可能ガイド片を調整することによってガイド片本体との間に形成されるガイド隙間の幅を選択することができ、体積が小さく、製造が簡単でコストを低下させ、製品の競争力を高めることができる織機の糸切れ及び糸弛み検出装置を提供することにある。
本考案の第２の目的は、ねじりばね、導電部材および導電部材に導電材料からなる螺合部材が組み合わされた簡単な部材の設置によって糸切れ及び糸弛み検出装置が運転停止制御機能および指示ランプ機能を達成できる織機の糸切れまたは糸弛み検出装置を提供することにある。
【課題を解決するための手段】
【０００６】
上述の課題を解決するために、請求項１の考案は、検出装置本体および蓋体を備え、該検出装置本体には停車バーと内部には正極導電片、負極導電片および指示ランプが設けられ、前記停車バーが糸切れまたは糸弛みの故障を検知して作動するとき、前記正極導電片と負極導電片とを導通させて運転停止を制御し、前記指示ランプの点灯を制御し、前記検出装置本体には更にケーシング、蓋体、張力調整装置、ガイド片セット、ねじりばねおよび導電片を備えたガイド装置が設けられた織機の糸切れ及び糸弛み検出装置であって、前記ケーシングは、導電材料からなる螺合部材によって前記検出装置本体に螺合接続され、前記ケーシングの一側の壁部上方には貫通孔が設けられ、前記ケーシングの内壁上方には定位台が設けられ、前記定位台には定位孔が設けられ、前記ケーシングの内壁上方には枢動孔が設けられ、前記ケーシングの他側の壁部内面には位置制限塊が設けられ、前記ガイド片セットは、ガイド片本体を備え、その両側には嵌合孔が設けられ、前記嵌合孔は前記張力調整装置のカムの両側に嵌合固定され、前記ガイド片本体は前記検出装置本体に設けられたシンカーの上方に位置され、前記ガイド片本体が正常位置のとき、カムの第１の定位凹部に鋼球の一側が支持され、前記ガイド片本体が下方に枢動したとき、前記カムを動かし、突縁が鋼球を押圧してカムの第２の定位凹部での支持に切換わり、反対に、前記ガイド片本体が上方に枢動して正常位置に復位するとき、前記カムを連動し、突縁が鋼球を押圧してカムの第１の定位凹部での支持に切換わり、
前記ガイド装置のガイド片セットのガイド片本体には、ガイド溝およびガイド溝両側に位置する定位凸部が設けられ、前記ガイド片本体の上方には枢接部材によって調整可能ガイド片が枢動可能に設けられ、前記調整可能ガイド片には少なくとも一つのガイド溝が設けられ、その幅はガイド片本体のガイド溝とは異なり、前記調整可能ガイド片には少なくとも一つのガイド溝側辺に位置する定位溝孔または定位凹部が設けられ、また、前記調整可能ガイド片のガイド溝から調整可能ガイド片の左右端縁までの距離はそれぞれ異なり、調整可能ガイド片のいずれかの定位溝孔をガイド片本体のいずれかの定位凸部に嵌合するか、調整可能ガイド片の両定位溝孔をガイド片本体の各定位凸部に嵌合するか、調整可能ガイド片の各定位溝孔をいずれのガイド片本体の各定位凸部にも嵌合しないという方法で固定され、ガイド溝は複数種の幅に調整することができ、前記調整可能ガイド片には更に湾曲部が設けられ、調整操作が容易になっており、
前記ガイド装置の張力調整装置は、前記カムに定位溝および定位柱が設けられ、前記カムにはねじりばねが嵌設され、前記ねじりばねは、導電材料からなり、その一側には導電脚が設けられ、更に、導電脚から適当な距離の位置には巻部が設けられ、他側には湾曲部が設けられ、一側の巻部が前記張力調整装置のカムに嵌設され、一側の導電脚がカムの定位溝によって定位柱に湾曲して固定され、前記ねじりばねの他側の湾曲部が下方のケーシング他側の貫通孔から伸出してケーシングの定位塊の定位孔に向かい合い、定位塊と検出装置本体とシンカーの固定部とを螺合固定する螺合部材のねじ山部が先ず湾曲部を貫通し、次に定位塊を貫通し、最後に検出装置本体の一側の壁部に螺合接続され、螺合部材のねじ山部の内端と検出装置本体の負極導電片とが接触し、前記張力調整装置の内ねじ山柱には環状凹溝が設けられたことを特徴とする。
【０００７】
また、前記検出装置本体の停車バーは使用しないとき定位バーを引き出すことによって固定され、検出装置本体の一側には固定クリップが設けられ、固定クリップによって織機の検出装置固定フレームに掛合固定され、検出装置本体内には正極導電片、負極導電片および指示ランプが設けられ、停車バーが糸切れ及び糸弛みなどの故障を検知して作動するとき、正極導電片と負極導電片とを導通させて運転停止を制御し、指示ランプの点灯を制御し、検出装置本体の他側には導電材料からなる螺合部材によってシンカーの固定部が螺合接続され、検出装置本体の下方には挟持部が設けら、前記検出装置本体には更にケーシング、蓋体、張力調整装置、ガイド片セット、ねじりばねおよび導電片を備えたガイド装置が設けられる。
前記ケーシングは、導電材料からなる螺合部材によって検出装置本体に螺合接続され、ケーシングの一側の壁部上方には貫通孔が設けられ、ケーシングの内壁上方には定位台が設けられ、定位台には定位孔が設けられ、ケーシングの内壁上方には枢動孔が設けられ、ケーシングの他側の壁部内面には位置制限塊が設けられる。
前記蓋体は、ケーシングと接続され、一側上方には枢動孔が設けられる。
【０００８】
前記張力調整装置は、調整つまみ、ねじ山ロッド、ばね、鋼球およびカムを備え、調整つまみの内ねじ山柱はケーシング一側の壁部上方の貫通孔を貫通し、ねじ山ロッドのねじ山部が内ねじ山柱の内ねじ山孔に螺入され、ねじ山ロッドの他側には支持部が設けられてばねの一側に支持され、ばねの他側はケーシングの定位台の貫通孔を貫通し、鋼球の一側に支持され、鋼球の他側はカムの第１の定位凹部または第２の定位凹部に支持され、カムはその両側の軸部によってケーシングの枢動孔と蓋体の枢動孔との間に枢動可能に設けられ、カムには更に二つの定位壁が設けられ、ケーシングの位置制限塊によって位置が制限されてカムの回動が制限され、また、カムには第１の定位凹部と第２の定位凹部との間に介する突縁が設けられ、また、カムの両側端部には嵌合塊がそれぞれ設けられ、ガイド片セットが嵌接される。
【０００９】
前記ガイド装置のケーシングは、一側の下方に定位孔が設けられ、他側の下方には貫通孔が設けられ、下方に定位塊が延伸されており、定位塊には定位孔が設けられ、ケーシングの下方には挿入溝が設けられ、ケーシングの内壁の一側には定位部が設けられて導電部材が設置され、導電部材には上方に湾曲した接触部が設けられ、接触部からは下方に適当な長さ延伸した定位部が設けられ、定位部の下方には固定部が湾曲して延伸し、導電部材の定位部によってケーシングの定位部に固定され、導電部材の固定部がケーシング下方の挿入溝に挿入され、蓋体を設置すると、導電部材は固定され、導電部材の固定部には貫通溝が設けられ、貫通溝はケーシング一側下方の定位孔に向かい合い、ケーシング下方の定位孔と検出装置本体とを螺合固定する螺合部材のねじ山部が先ず導電部材の固定部の貫通溝を貫通した後、検出装置本体と接続され、螺合部材のねじ山部の下方と検出装置本体の正極導電片とが接触する。
前記ガイド装置の蓋体は、一側に定位塊が上向きに設けられ、定位塊には定位凹縁が設けられ、ガイド装置の蓋体とケーシングとが接続されたとき、定位凹縁に張力調整装置の調整つまみの内ねじ山柱の環状凹溝が支持される。
【００１０】
請求項２の考案は、ガイド装置のガイド片セットのガイド片本体には、ガイド溝の両側に位置する定位溝孔または定位凹部が設けられ、ガイド片セットの調整可能ガイド片に設けられた少なくとも一つのガイド溝の側辺には少なくとも一つの定位凸部が設けられることを特徴とする請求項１記載の織機の糸切れ及び糸弛み検出装置である。
【００１１】
請求項３の考案は、検出装置本体に設けられた固定クリップは、先ず底部が支持フレームの上方の湾曲部と接続され、次に支持フレームが検出装置本体の一側と螺合接続され、検出装置本体の一側の上方に位置されることを特徴とする請求項１記載の糸切れ及び糸弛み検出装置である。
【考案の効果】
【００１２】
本考案によれば、ガイド片セットのガイド片本体の上方に調整可能ガイド片が枢動可能に設けられ、調整可能ガイド片を調整することによってガイド片本体との間に形成されるガイド隙間の幅を選択することができ、体積が小さく空間を占拠することなく、製造が簡単でコストを低下させ、製品の競争力を高めることができ、ねじりばねおよび導電部材に導電材料からなる螺合部材が組み合わされた簡単な部材の設置によって糸切れ及び糸弛み検出装置の運転停止制御機能および指示ランプ機能を達成できる。
【考案を実施するための最良の形態】
【００１３】
本考案の目的、特徴および効果を示す実施例を図に沿って詳細に説明する。
図１から２０に示すように、本考案の実施例は、織機の糸切れ及び糸弛み等の糸異常検出装置の改良を提供するものである。図３に示すように、糸切れ及び糸弛み検出装置は、検出装置本体１および蓋体１０を備える。
また、停車バー１２が設けられ、停車バー１２を使用しないときは定位バー１４を引き出して停車バー１２を固定することができる。検出装置本体１は一側に固定クリップ１１が設けられ、固定クリップ１１によって織機の糸異常検出装置固定フレーム２に掛合固定することができる。検出装置本体１内には正極導電片１１１（図１２を参照）、負極導電片１１２および指示ランプ１１３が設けられ、停車バー１２が断糸または糸弛みなどの故障を検知して作動するときは正極導電片１１１と負極導電片１１２とを導通させて運転停止を制御し、指示ランプ１１３の点灯を制御する。図３に示すように、検出装置本体１の他側には螺合部材７２によってシンカー３の固定部３１が螺合接続される。検出装置本体１の下方には挟持部４が設けられる。検出装置本体１には更にガイド装置５が設けられる。
【００１４】
ガイド装置５はケーシング５１、蓋体５２、張力調整装置６、ガイド片セット８、ねじりばね５３および導電片５４を備える。
ケーシング５１は、一側の下方に定位孔５１１（図８を参照）が設けられ、図４に示すように、螺合部材７１によって検出装置本体１の上方に螺合接続される。図７、８、９に示すように、他側下方には貫通孔５１２が設けられ、その下方に定位塊５１３が延伸されている。定位塊５１３の定位孔５１３１から螺合部材７２がシンカー３の固定部３１および検出装置本体１の一側の壁部に貫通されて螺合接続される。ケーシング５１の一側の壁部上方には貫通孔５１４が設けられ、ケーシング５１の内壁上方には定位台５１５が設けられる。
定位台５１５には定位孔５１５１が設けられ、ケーシング５１の内壁上方には枢動孔５１６が設けられる。ケーシング５１の他の側壁内面には位置制限塊５１７が設けられ（図９を参照）、ケーシング５１の内壁には複数の定位溝５１８が設けられ、ケーシング５１の下方には挿入溝５１０が設けられる。
【００１５】
蓋体５２には複数の定位柱５２１が設けられ（図１２、２０を参照）、ケーシング５１の複数の定位溝５１８に嵌接され、一側上方には枢動孔５２２が設けられる。蓋体５２の他側上方には定位塊５２３が設けられる。定位塊５２３には定位凸縁５２３１が設けられる（図２０を参照）。
【００１６】
図７に示すように、張力調整装置６は、調整つまみ６１、ねじ山ロッド６２、ばね６３、鋼球６４およびカム６５を備える。調整つまみ６１の内ねじ山柱６１１はケーシング５１一側の壁部上方の貫通孔５１４を貫通し、内ねじ山柱６１１の環状凹溝６１１２によって蓋体５２の定位塊５２３の定位凹縁５２３１（図２０を参照）に支持され、調整つまみ６１は回動可能であるが位置は移動しない。ねじ山ロッド６２のねじ山部６２１が内ねじ山柱６１１の内ねじ山孔６１１１に螺入され、ねじ山ロッド６２の他側には支持部６２２が設けられ、ばね６３の一側に支持される。ばね６３の他側はケーシング５１の定位台５１５の定位孔５１５１を貫通し、鋼球６４の一側に支持される。鋼球６４の他側はカム６５の第１の定位凹部６５１（図１１、１２を参照）または第２の定位凹部６５２（図１１、１３を参照）に支持される。図１１に示すように、カム６５は両側の軸部６５３によってケーシング５１の枢動孔５１６と蓋体５２の枢動孔５２２との間に枢動可能に設けられる。カム６５には更に二つの定位壁６５４が設けられ、ケーシング５１の位置制限塊５１７（図９を参照）によって位置が制限され、カム６５の回動が制限される。また、カム６５には第１の定位凹部６５１と第２の定位凹部６５２との間に介する突縁６５０（図１０を参照）が設けられる。また、カム６５には定位溝６５５および定位柱６５６が設けられる。カム６５の両側端部には嵌合塊６５７が設けられ、ガイド片セット８が嵌接される（図１４を参照）。
【００１７】
ガイド片セット８は、図７、１９に示すように、ガイド片本体８１を備え、その両側には嵌合孔８１１が設けられ、張力調整装置６のカム６５の両側に嵌合固定される。ガイド片本体８１は検出装置本体１に設けられたシンカー３の上方に位置される（図２を参照）。ガイド片本体８１が正常位置のとき（図２、１１、１２を参照）、カム６５の第１の定位凹部６５１に鋼球６４の一側が支持され、ガイド片本体８１が下方に枢動したとき、カム６５を動かし、突縁６５０が鋼球６４を押圧してカム６５の第２の定位凹部６５２での支持に切換わる（図１２、１３を参照）。反対に、ガイド片本体８１が上方に枢動して正常位置に復位するとき、カム６５を連動し、突縁６５０が鋼球６４を押圧してカム６５の第１の定位凹部６５１での支持に切換わる。図７に示すように、ガイド片本体８１にはガイド溝８１２およびガイド溝８１２両側の定位凸部８１３、８１４が設けられる。ガイド片本体８１の上方には枢接部材８０によって調整可能ガイド片８２が枢動可能に設けられ、調整可能ガイド片８２には少なくともガイド溝８２１が設けられ、その幅はガイド片本体８１のガイド溝８１２とは異なる。調整可能ガイド片８２には少なくともガイド溝８２１側辺に位置する定位溝孔８２２、８２３（または定位凹部）が設けられる。また、調整可能ガイド片８２のガイド溝８２１から調整可能ガイド片８２の左右端縁８２４、８２５までの距離はそれぞれ異なり、調整可能ガイド片８２のいずれかの定位溝孔８２２、８２３をガイド片本体８１のいずれかの定位凸部８１３、８１４に嵌合する（図１５、１６を参照）か、調整可能ガイド片８２の両定位溝孔８２２、８２３をガイド片本体８１の各定位凸部８１３、８１４に嵌合する（図１７を参照）か、調整可能ガイド片８２の各定位溝孔８２２、８２３をガイド片本体８１のいずれの定位凸部８１３、８１４にも嵌合しない（図１８、１９を参照）という方法で固定され、ガイド溝は複数種（本実施例では四種）の幅に調整することができ、ガイド片セット８は体積が小さいので空間を占拠することがなく、製造が簡単でコストを低下させることができる。図１９に示すように、前述の調整可能ガイド片８２には更に湾曲部８２６が設けられ、調整操作が容易になっている。
【００１８】
ねじりばね５３は、導電材料からなり、その一側には導電脚５３１が設けられ（図１０を参照）、更に、導電脚５３１から適当な距離の位置には巻部５３２が設けられ、他側には湾曲部５３３が設けられる。一側の巻部５３２が張力調整装置６のカム６５に嵌設され、一側の導電脚５３１がカム６５の定位溝６５５によって定位柱６５６に湾曲して固定される。ねじりばね５３の他側の湾曲部５３３は下方のケーシング５１の他側にある貫通孔５１２から伸出し（図７、１２を参照）、ケーシング５１の定位塊５１３の定位孔５１３１に向かい合い、定位塊５１３と検出装置本体１とシンカー３の固定部３１とを螺合固定する螺合部材７２のねじ山部７２１が先ず湾曲部５３３を貫通し、次に定位塊５１３を貫通し、最後に検出装置本体１の一側の壁部に螺合接続され、螺合部材７２のねじ山部７２１の内端と検出装置本体１の負極導電片１１２とが接触する（図１２を参照）。
【００１９】
導電部材５４は線状のもの（本実施例ではりん銅線を採用）または板状のものとすることができ、その上方には湾曲した接触部５４１が設けられ、接触部５４１からは下方に適当な長さ延伸した定位部５４２が設けられ、定位部５４２の一側はケーシング５１の一側の壁部の定位部５１９に固定することができ、蓋体５２を設置すると、導電部材５４の定位部５４２の下方が固定される。固定部５４３が湾曲して延伸しており、固定部５４３はケーシング５１の挿入溝５１０に挿入することができ、固定部５４３には貫通溝５４３１が設けられ、貫通溝５４３１がケーシング５１一側下方の定位孔５１１に向かい合い、ケーシング５１下方の定位孔５１１と検出装置本体１とを螺合固定する螺合部材７１のねじ山部７１１が先ず導電部材５４の固定部５４３の貫通溝５４３１を貫通した後、検出装置本体１と接続され、螺合部材７１のねじ山部７１１の下方と検出装置本体１の正極導電片１１１とが接触する（図１２を参照）。
【００２０】
前述の検出装置本体１に設けられた固定クリップ１１は、先ず底部１１０が支持フレーム１３上方の湾曲部１３１と接続され、次に支持フレーム１３が検出装置本体１の一側と螺合接続され、固定クリップ１１は検出装置本体１の一側の上方に位置され、設置適用範囲を広げることができる。
【００２１】
上述の部材から構成される織機の糸切れ及び糸弛み検出装置は下記の長所を有する。
１．ガイド片セット８のガイド片本体８１の上方に調整可能ガイド片８２が枢動可能に設けられ、ガイド片本体８１にはガイド溝８１２およびガイド溝８１２両側に位置する定位凸部８１３、８１４が設けられ、調整可能ガイド片８２には少なくとも幅の異なるガイド溝８２１が設けられ、ガイド溝８２１の側辺には定位溝孔８２２、８２３（または定位凹溝）が設けられる。
調整可能ガイド片８２のガイド溝８２１から調整可能ガイド片８２の左右端縁８２４、８２５までの距離はそれぞれ異なり、調整可能ガイド片８２をガイド片本体８１上の異なる位置（図１５から１９を参照）に固定することによって複数種のガイド隙間を選択でき、ガイド片セット８は体積が小さいので空間を占拠することがなく、製造が簡単でコストを低下させることができる。前述の調整可能ガイド片８２には更に湾曲部８２６が設けられ、調整操作が容易になっている。
【００２２】
２．給糸時に綿くずまたは糸球がガイド隙間に詰まった場合、ガイド片本体８１が下方に枢動すると同時に、カム６５の突縁６５０が鋼球６４を押圧し、鋼球６４はカム６５の第２の定位凹部６５２での支持に切換わる。カム６５に設けられたねじりばね５３の導電脚５３１はカム６５の切換によって導電部材５４の接触部５４１と接触して導通される（図１３を参照）。
ねじりばね５３の他側の湾曲部５３３は導電材料からなる螺合部材７２によって検出装置本体１に設けられた負極導電片１１２と接触し、導電部材５４の固定部５４３は導電材料からなる螺合部材７１によって検出装置本体１の正極導電片１１１と接触し、検出装置本体１に設けられた指示ランプ１１３が点灯し、運転停止を制御する。簡単に述べると、本考案は、ねじりばね５３、導電部材５４および導電部材５４に組み合わされた導電材料からなる螺合部材７１、７２などの簡単な部材を設置することによって検出装置の運転停止制御および指示ランプの点灯制御機能を達成できる。
【００２３】
３．検出装置本体１の一側は先ず支持フレーム１３に螺合固定され（図１３を参照）、次に支持フレーム１３と固定クリップ１１とが接続され、固定クリップ１１は検出装置本体１の一側の上方に位置され、固定クリップ１１の設置適用範囲を広げることができる。 
【００２４】
以上のように、本考案の実施例によれば、調整可能ガイド片８２をガイド片本体８１上の異なる位置に固定することによって複数種のガイド隙間を選択でき、ガイド片セット８は体積が小さいので空間を占拠することがなく、製造が簡単でコストを低下させることができる。また本考案は、ねじりばね５３、導電部材５４および導電部材５４に導電材料からなる螺合部材７１、７２が組み合わされた簡単な部材の設置によって糸異常検出装置の運転停止制御機能および指示ランプ機能を達成できる。結果として、体積が小さく、製造が簡単でコストを低下させ、製品の競争力を高めることができる。
【図面の簡単な説明】
【００２５】
【図１】従来装置（特許文献１）を示す斜視図である。
【図２】本考案の実施例を示す斜視図である。
【図３】図２の他の角度からの斜視図である。
【図４】本考案の実施例によるガイド装置と検出装置とを接続する状態を示す立体分解図である。
【図５】図４の他の角度からの斜視図である。
【図６】本考案の実施例による検出装置の蓋体およびガイド装置の蓋体を取り外した状態を示す斜視図である。
【図７】本考案の実施例によるガイド装置を示す立体分解図である。
【図８】本考案の実施例によるガイド装置のケーシングを示す斜視図である。
【図９】図８の他の角度からの斜視図である。
【図１０】本考案の実施例による張力調整部のカムおよびねじりばねを示す斜視図である。
【図１１】本考案の実施例によるカムを示す斜視図である。
【図１２】本考案の実施例の組立後の状態を示す断面図である。
【図１３】図１２のガイド片セットが下方に枢動した状態を示す断面図である。
【図１４】本考案の実施例によるガイド装置の張力調整装置、ガイド片セット、導電部材、ねじりねじおよび螺合部材を示す斜視図である。
【図１５】本考案の実施例によるガイド片セットの使用状態を示す平面図である。
【図１６】本考案の実施例によるガイド片セットの他の使用状態を示す平面図である。
【図１７】本考案の実施例によるガイド片セットの他の使用状態を示す平面図である。
【図１８】本考案の実施例によるガイド片セットの他の使用状態を示す平面図である。
【図１９】本考案の実施例によるガイド片セットの他の使用状態を示す斜視図である。
【図２０】本考案の実施例によるガイド装置の蓋体を示す斜視図である。
【符号の説明】
【００２６】
１  検出装置本体
１０  蓋体
１１  固定クリップ
１１０  底部
１１１  正極導電片
１１２  負極導電片
１１３  指示ランプ
１２  停車バー
１３  支持フレーム
１３１  湾曲部
１４  定位バー
２  検出装置固定フレーム
３  シンカー
３１  固定部
４  挟持部
５  ガイド装置
５１  ケーシング
５１０  挿入溝
５１１  定位孔
５１２  貫通孔
５１３  定位塊
５１３１  定位孔
５１４  貫通孔
５１５  定位台
５１５１  定位孔
５１６  枢動孔
５１７  位置制限塊
５１８  定位溝
５１９  定位部
５２  蓋体
５２１  定位柱
５２２  枢動孔
５２３  定位塊
５２３１  定位凹縁
５３  ねじりばね
５３１  導電脚
５３２  巻部
５３３  湾曲部
５４  導電部材
５４１  接触部
５４２  定位部
５４３  固定部
５４３１  貫通溝
６  張力調整装置
６１  調整つまみ
６１１  内ねじ山柱
６１１１  内ねじ山孔
６１１２  環状凹溝
６２  ねじ山ロッド
６２１  ねじ山部
６２２  支持部
６３  ばね
６４  鋼球
６５  カム
６５０  突縁
６５１  第１の定位凹部
６５２  第２の定位凹部
６５３  軸部
６５４  定位壁
６５５  定位溝
６５６  定位柱
６５７  嵌合塊
７１、７２  螺合部材
７２１  ねじ山部
８  ガイド片セット
８０  枢接部材
８１  ガイド片本体
８１１  嵌合孔
８１２  ガイド溝
８１３、８１４  定位凸部
８２  調整可能ガイド片
８２１  ガイド溝
８２２、８２３  定位溝孔
８２４、８２５  端縁
８２６  湾曲部
【図１】
0003136562.tif 000003
【図２】
0003136562.tif 000004
【図３】
0003136562.tif 000005
【図４】
0003136562.tif 000006
【図５】
0003136562.tif 000007
【図６】
0003136562.tif 000008
【図７】
0003136562.tif 000009
【図８】
0003136562.tif 000010
【図９】
0003136562.tif 000011
【図１０】
0003136562.tif 000012
【図１１】
0003136562.tif 000013
【図１２】
0003136562.tif 000014
【図１３】
0003136562.tif 000015
【図１４】
0003136562.tif 000016
【図１５】
0003136562.tif 000017
【図１６】
0003136562.tif 000018
【図１７】
0003136562.tif 000019
【図１８】
0003136562.tif 000020
【図１９】
0003136562.tif 000021
【図２０】
0003136562.tif 000022